(57)【特許請求の範囲】
【請求項１】
端末に設置されたカメラにより検出されたユーザの視線のうち、前記端末の画面に配置されたアイコン毎の視線量をデータとして受信する視線量受信手段と、
受信された前記視線量の多さに基いて前記アイコン毎の価値を計算する価値計算手段と、
端末の画面に配置されたアイコンに表示するための広告について、広告単価の指定を伴う入札を受け付ける入札受付手段と、
前記入札における前記広告単価の高さに基いて前記広告の指標値を決定する指標決定手段と、
前記指標値の高い前記広告ほど優先的に、前記価値の高い前記アイコンへ引き当てる引当手段と、
引き当てられた前記広告を、引き当てられた前記アイコンへ表示するためのデータとして前記端末へ送信する広告送信手段と、
を備えたことを特徴とする情報処理装置。
【請求項２】
前記価値計算手段は、前記アイコン毎の前記価値を、同一の前記端末の画面に配置されたアイコン間における前記視線量の相対的な多さに基いて計算することを特徴とする請求項１記載の情報処理装置。
【請求項３】
前記価値計算手段は、前記アイコン毎の前記価値を、他の前記端末の画面に配置されたアイコンの前記視線量も含めた絶対的な前記視線量の多さに基いて計算することを特徴とする請求項１記載の情報処理装置。
ことを特徴とする請求項１又は２記載の情報処理装置。
【請求項４】
前記入札受付手段は、前記入札を受け付ける際、前記アイコンの種類の指定を受け付け、
前記引当手段は、同じ前記種類を指定している広告のうち前記指標値の高い前記広告ほど優先的に、前記種類の前記アイコンのうち前記価値の高い前記アイコンへ引き当てる
ことを特徴とする請求項１から３のいずれか一項に記載の情報処理装置。
【請求項５】
端末に設置されたカメラにより検出されたユーザの視線のうち、前記端末の画面に配置されたアイコン毎の視線量をデータとして受信する視線量受信処理と、
受信された前記視線量の多さに基いて前記アイコン毎の価値を計算する価値計算処理と、
端末の画面に配置されたアイコンに表示するための広告について、広告単価の指定を伴う入札を受け付ける入札受付処理と、
前記入札における前記広告単価の高さに基いて前記広告の指標値を決定する指標決定処理と、
前記指標値の高い前記広告ほど優先的に、前記価値の高い前記アイコンへ引き当てる引当処理と、
引き当てられた前記広告を、引き当てられた前記アイコンへ表示するためのデータとして前記端末へ送信する広告送信処理と、
をコンピュータが実行することを特徴とする情報処理方法。
【発明の詳細な説明】
【技術分野】
【０００１】
本発明は、アイコンに表示する広告に関する。
【背景技術】
【０００２】
従来、人の視線を追跡し見られた量に応じて、デジタルサイネージに表示した広告の効果を測定する技術や（例えば、特許文献１参照）、ウェブ広告の広告料金を課金する技術（例えば、特許文献２参照）は知られていた。
【先行技術文献】
【特許文献】
【０００３】
【特許文献１】特開２００８−１１２４０１号
【特許文献２】特開２００２−１３３３１２号
【発明の概要】
【発明が解決しようとする課題】
【０００４】
しかし、上記のような従来の技術は、表示した広告に対し実際に注がれた人の視線から、実績としての広告効果を事後的に判断するもので、人の視線に基いて事前に、広告の価値と広告の課金額とのバランスをとることはできなかった。
【０００５】
本発明の目的は、端末の画面に配置されたアイコンへ表示する広告について、ユーザによく見られるアイコンほど高単価の広告を配信することである。
【課題を解決するための手段】
【０００６】
上記の目的をふまえ、本発明の一態様（１）である情報処理装置は、端末に設置されたカメラにより検出されたユーザの視線のうち、前記端末の画面に配置されたアイコン毎の視線量をデータとして受信する視線量受信手段と、受信された前記視線量の多さに基いて前記アイコン毎の価値を計算する価値計算手段と、端末の画面に配置されたアイコンに表示するための広告について、広告単価の指定を伴う入札を受け付ける入札受付手段と、前記入札における前記広告単価の高さに基いて前記広告の指標値を決定する指標決定手段と、前記指標値の高い前記広告ほど優先的に、前記価値の高い前記アイコンへ引き当てる引当手段と、引き当てられた前記広告を、引き当てられた前記アイコンへ表示するためのデータとして前記端末へ送信する広告送信手段と、を備えたことを特徴とする。
【０００７】
本発明の他の態様（５）である情報処理方法は、上記態様を方法のカテゴリで捉えたもので、端末に設置されたカメラにより検出されたユーザの視線のうち、前記端末の画面に配置されたアイコン毎の視線量をデータとして受信する視線量受信処理と、受信された前記視線量の多さに基いて前記アイコン毎の価値を計算する価値計算処理と、端末の画面に配置されたアイコンに表示するための広告について、広告単価の指定を伴う入札を受け付ける入札受付処理と、  前記入札における前記広告単価の高さに基いて前記広告の指標値を決定する指標決定処理と、前記指標値の高い前記広告ほど優先的に、前記価値の高い前記アイコンへ引き当てる引当処理と、引き当てられた前記広告を、引き当てられた前記アイコンへ表示するためのデータとして前記端末へ送信する広告送信処理と、をコンピュータが実行することを特徴とする。
【０００８】
本発明の他の態様（２）は、上記いずれかの態様において、前記価値計算手段は、前記アイコン毎の前記価値を、同一の前記端末の画面に配置されたアイコン間における前記視線量の相対的な多さに基いて計算することを特徴とする。
【０００９】
本発明の他の態様（３）は、上記いずれかの態様において、前記価値計算手段は、前記アイコン毎の前記価値を、他の前記端末の画面に配置されたアイコンの前記視線量も含めた絶対的な前記視線量の多さに基いて計算することを特徴とする。
【００１０】
本発明の他の態様（４）は、上記いずれかの態様において、前記入札受付手段は、前記入札を受け付ける際、前記アイコンの種類の指定を受け付け、前記引当手段は、同じ前記種類を指定している広告のうち前記指標値の高い前記広告ほど優先的に、前記種類の前記アイコンのうち前記価値の高い前記アイコンへ引き当てることを特徴とする。
【発明の効果】
【００１１】
本発明によれば、端末の画面に配置されたアイコンへ表示する広告について、ユーザによく見られるアイコンほど高単価の広告を配信することができる。
【図面の簡単な説明】
【００１２】
【図１】本発明の実施形態について構成を示す機能ブロック図。
【図２】本発明の実施形態における端末を示す正面図。
【図３】本発明の実施形態におけるデータ例（アイコンの価値）を示す図。
【図４】本発明の実施形態におけるデータ例（入札された広告データ）を示す図。
【図５】本発明の実施形態におけるデータ例（受信された広告データ）を示す図。
【図６】本発明の実施形態における処理手順を示すフローチャート（広告の引当てと送信）。
【図７】本発明の実施形態における概念図（視線の軌跡と順位）。
【図８】本発明の実施形態における概念図（視線の軌跡と順位）。
【図９】本発明の実施形態における概念図（視線の軌跡と順位）。
【図１０】本発明の実施形態における処理手順を示すフローチャート（広告の表示）。
【図１１】本発明の実施形態における画面表示例。
【発明を実施するための形態】
【００１３】
次に、本発明を実施するための形態（「実施形態」と呼ぶ）について図に沿って例示する。なお、背景技術や課題などで既に述べた内容と共通の前提事項は適宜省略する。
【００１４】
〔１．構成〕
図１の構成図は、本実施形態における情報処理装置１（「本装置１」とも呼ぶ）と、端末Ｔと、を示す。本装置１は、通信ネットワークＮ（インターネット、携帯電話網など）を介し、端末Ｔ（例えば図２）においてアイコンに表示される広告を選択し、端末Ｔへ配信するサーバ装置である。
【００１５】
本装置１は、コンピュータの構成として、ＣＰＵなどの演算制御部６と、主メモリや補助記憶装置等の記憶装置７と、通信ネットワークＮとの通信装置８（通信機器や通信アダプタなど）と、を有する。
【００１６】
本装置１では、記憶装置７に記憶されているコンピュータプログラム（サーバプログラムなど）を演算制御部６が実行することで、図１に示す各要素を実現する。このうち、価値記憶手段３５は、広告の表示先となるアイコン毎の価値をデータとして記憶する手段であり（例えば図３）、広告記憶手段４５は、アイコンに表示する広告の候補をデータとして記憶する手段である（例えば図４）。
【００１７】
また、端末Ｔは、コンピュータを備えた情報処理装置で、特にスマートフォン、タブレットＰＣや携帯電話端末などの携帯端末である。端末Ｔは、図１では代表して一つを示すが、多数存在してもよい。端末Ｔは、本装置１に準じたコンピュータの構成に加え、内蔵充電池を制御する充電池制御部３と、通話の制御を行う通話制御部４と、ＧＰＳなどによる測位処理を行うＧＰＳ部５と、を備える。
【００１８】
端末Ｔは、プログラム起動用のアイコンの一部分に広告を表示するものである。アイコンは、パーソナルコンピュータや携帯端末など情報機器の画面に表示され特定の機能を表す絵記号であり、本出願においては図形などの画像やアニメーション、動画に限らず、文字や記号、これらの結合などでもよい。
【００１９】
図２は、端末Ｔの画面側（前面）を示す図である。この図に示すように、端末Ｔは、タッチパネル機能付きの液晶や有機ＥＬを用いた入出力手段である表示画面Ｇを備え、この表示画面Ｇにアイコン起動や各種機能を呼び出すためのアイコンＸ（例えば、Ｘ１〜Ｘ４）を表示する。
【００２０】
図２や図１１の例では、図解の都合で大小異なるサイズのアイコンを示しているが、アイコンのサイズは複数なくてもよい。また、端末Ｔは、図２で見えない側（背面）に背面側カメラすなわちメインカメラ（厨子省略）を備えるほか、前面側カメラＣ２を備える。
【００２１】
端末Ｔには、コンピュータプログラムであるウェブブラウザＢと、その他の各種のアプリケーションプログラムＡ（Ａ１〜Ａ３。以下「アプリ」や「アプリＡ」などと呼ぶ）がインストールされている。これらプログラムの数はいくつでもよく、プリインストールでもよいし、端末Ｔを入手後にユーザがダウンロード等によりインストールしてもよい。
【００２２】
端末Ｔでは、記憶装置７７に記憶されているコンピュータプログラム（例えば、ホームアプリ、機能モジュール、基本ソフトウェア９など）を演算制御部６６が実行することで、図１に示す各要素を実現する。
【００２３】
このうち、広告記憶手段４５０は、実際に端末Ｔでアイコンに表示する広告をデータとして記憶する手段であり、その記憶内容の一例を図５に示す。図５に示す広告は、入札された広告（図４一部が、端末Ｔに表示する対象として選択（「引当て」とも呼ぶ）されたもので、表示先となるアイコンを表す表示先アイコンＩＤ（例えば「Ｔ１−０１」）の情報項目を示す。
【００２４】
本装置１や端末Ｔで実現される記憶手段は、いわゆるローカル記憶に限らず、ネットワーク・コンピューティング（クラウド）によるリモート記憶でもよい。また、記憶手段は、データの格納領域だけでなく、データの入出力や管理などの機能を含んでもよい。また、本出願に示す記憶手段の単位は説明上の便宜によるもので、適宜、構成を分けたり一体化できる。また、明示する記憶手段以外にも、処理の対象、ワークエリアや結果などの記憶手段を適宜用いる。
【００２５】
なお、図中（例えば図１）の矢印は、データや制御などの流れについて主要な方向を補助的に示すもので、他の流れの否定や方向の限定を意味するものではない。例えばある方向のデータ取得の前後に、データ要求や確認応答（ＡＣＫ）が逆方向に発生し得る。
【００２６】
また、記憶手段以外の各手段は、以下に説明するような情報処理の機能・作用（例えば図１）を実現・実行する処理手段であるが、これらは説明のために整理した機能単位であり、実際のハードウェア要素やソフトウェアモジュールとの一致は問わない。
【００２７】
〔２．作用〕
上記のように構成された本装置１と端末Ｔの協働による広告の表示に関する処理のうち、本実施形態に特に関わる部分を図６のフローチャートに示す。
【００２８】
〔２−１．視線量の集計〕
すなわち、端末Ｔでは視線検出手段１９が、端末Ｔに設置された前面側カメラＣ２により、ホーム画面など少なくともアイコンが表示されている画面の表示中、ユーザの視線を継続的に検出し取得する（ステップＳ１１）。そして、視線検出手段１９は、画面上の場所ごとの視線量、もしくは視線のうち端末の画面に配置されたアイコン毎の視線量を、本装置１へ送信する。
【００２９】
本装置１では、視線量受信手段２０が、上記のように端末Ｔに設置されたカメラにより検出されたユーザの視線のうち、少なくとも、端末の画面に配置されたアイコン毎の視線量をデータとして受信し、視線量記憶手段２５に記憶させることで蓄積する（ステップＳ１２）。
【００３０】
ユーザの視線の検出は、公知の視線検出（アイトラッキング）の技術を用いればよい。例えば、前面側カメラＣ２で撮影するユーザの顔画像から、パターン抽出により黒目の向きを判定する。
【００３１】
そして、タッチ操作された画面上の座標とそのときの黒目の向きの対応関係をマッピングし、この対応関係を基に黒目の向きに応じ画面上での注視点を計算で推定する。注視点は例えば、所定時間周期（例えば数十ミリ秒）ごとの画面上の座標値である点列などで表すことができる。例えば、注視点の軌跡の概念的な例を図７（１）に、不定形状の破線で示す。
【００３２】
端末Ｔから本装置１へ送信する視線量や視線量記憶手段２５に記憶させる視線量は、図示は省略するが、視線の軌跡自体を表す座標列などのデータでもよいし、前回送信時以降の軌跡を構成する注視点が、各アイコン毎の表示領域内に含まれていた数や割合などのデータでもよい。
【００３３】
〔２−２．アイコン毎の価値の計算〕
そして、価値計算手段３０は、受信された視線量の多さに基いてアイコン毎の価値を計算する（ステップＳ１４）。アイコン毎の価値の計算は、例えば、いわゆるホーム画面上のアイコンについて、視線量の多さで順位付けしたり、視線量の多さで区分されたクラスへ分類するなどのほか、視線量を表す数値自体をそのまま又は単位を変換のうえ価値として用いるのでもよい。
【００３４】
例えば、注視点の軌跡が図７（１）に示した不定形状の破線のようであるとき、画面上の大きい４つのアイコンを、含んでいる軌跡の量に応じて順位付けすれば、図７（２）でアイコン内に示す順位となるものとする（アイコン内に示す順位は説明のためのもので、実際に画面表示されるものではない。以下同じ）。
【００３５】
このような価値の計算は、所定の更新タイミングで行い（ステップＳ１３：「ＹＥＳ」）、新たに計算した価値について、価値記憶手段３５に新たに記憶させ、またはそれまで価値記憶手段３５に記憶されていた価値を更新する（ステップＳ１４）。
【００３６】
ここで、アイコン毎の価値は、個々の端末内での相対的なものとしてもよいし、複数の端末に横断的なものとしてもよい。前者の場合、価値計算手段３０は、アイコン毎の価値を、同一の端末の画面に配置されたアイコン間における視線量の相対的な多さに基いて計算する。
【００３７】
この場合、図８（１）（２）のように、端末Ｔ１とＴ２で視線量の総量に大差があっても、例えば、端末Ｔ１で最も視線量の多いアイコンの価値と、端末Ｔ２で最も視線量の多いアイコンの価値とを、ユーザが最もよく見るアイコンという点で同じ価値として扱い、計算結果とする価値は同じ第1位とする。
【００３８】
アイコン毎の価値を、複数の端末に横断的なものとする後者の場合、価値計算手段３０は、アイコン毎の価値を、他の端末の画面に配置されたアイコンの視線量も含めた絶対的な視線量の多さに基いて計算する。
【００３９】
例えば、図９（１）（２）のように、端末Ｔ１は頻繁に用いられるため視線量の総量が大きく、端末Ｔ２はそれより視線量の総量が少ない場合、アイコンの視線量は端末Ｔ１とＴ２をまたぐ形で横断して評価されるので、価値を優先順位とする場合、端末Ｔ１のアイコンが上位の１位２位を占め、端末Ｔ２のアイコンは下位の７位８位を占める。
【００４０】
〔２−３．入札の受付と指標値の決定〕
そして、入札受付手段４０は、端末Ｔの画面に配置されたアイコンに表示するための広告について、広告単価の指定を伴う入札を受け付ける（ステップＳ１５及びＳ１６）。入札は、広告主が用いるＰＣなどの端末Ｔ（「広告主ＰＣ」と表す）から行う。入札では、広告主が例えば、アイコンに表示すべき画像のアップロードや、その画像がタップされたときに表示等すべきＵＲＬの入力と、タップ１回あたりに負担できる広告単価の指定と、を行う。
【００４１】
指標決定手段５０は、上記のような入札における広告単価（「入札単価」とも呼ぶ）の高さに基いて広告の指標値を決定する（ステップＳ１７）。広告の指標値は、例えば、入札単価自体でもよいし、入札単価と、その広告のＣＴＲ（クリックスルーレート：クリック率）とを乗じたｅＣＰＭ（effective  Cost  Per  Mill）でもよい。
【００４２】
〔２−４．広告の引当と表示〕
そして、引当手段６０は、指標値の高い広告ほど優先的に、価値の高いアイコンへ引き当て（ステップＳ１８）、広告送信手段７０は、引き当てられた広告を、引き当てられたアイコンへ表示するためのデータとして端末Ｔへ送信する（ステップＳ１９）。
【００４３】
引当手段６０及び広告送信手段７０は、端末Ｔの各アイコンに表示された広告を、一斉に（例えば、所定周期またはネットワーク接続成立のたびなど）または個別のタイミングで、新たな広告に差し替える。個々の広告にとって、表示先となる端末Ｔは多数の中から無作為に抽出してもよいし、ユーザの年齢性別や興味関心事項などのプロフィール項目でターゲティングした端末Ｔとしてもよい。
【００４４】
そして、広告は、指標値に価値が見合うアイコンのうち、差し替えタイミングの合うものに引き当てられ、表示される。引当てでは例えば、指標値の高い広告の順に価値の高いアイコンに順に割り当てる。入札単価を指標値とする場合の単純な例として、入札単価１００円の広告Ａと入札単価５０円の広告Ｂがある場合、図７（２）の「１位」のアイコンに広告Ａが、「２位」のアイコンに広告Ｂが表示される。
【００４５】
〔２−５．アイコンの種類の指定〕
入札受付手段４０が、入札を受け付ける際、アイコンの種類の指定を受け付け、引当手段６０が、同じ種類を指定している広告のうち指標値の高い広告ほど優先的に、種類のアイコンのうち価値の高いアイコンへ引き当てるようにしてもよい。種類は例えば、アプリが予め分類されているカテゴリから広告主に選択させる。
【００４６】
例えば、種類として「地図」のカテゴリが指定され、かつ、最高額の入札単価が指定された広告は、地図アプリのアイコンのうち価値が最も高いアイコンに表示される。
【００４７】
〔３．広告表示の詳細〕
上記のように引き当てられた広告を端末Ｔで表示する処理手順を図１０に示す。まず、広告表示手段２００は、アイコンに表示する広告を広告データとして本装置１から受信し（ステップＳ５１）、プログラムを起動するために画面に表示されるアイコンの一部分に広告を表示する（ステップＳ５２）。
【００４８】
端末Ｔが広告データを本装置１から受信するタイミングは、例えば、何時間おきなど所定周期のほか、端末Ｔの電源投入や画面ロック解除などでホーム画面を表示する度、ネットワーク接続が存在しなかった状態から、ネットワーク接続が成立した時などである。また、広告毎に表示期限を設定し（例えば図５の「表示期限」）、それを過ぎ次第、次の広告を受信するのでもよい。
【００４９】
広告データの受信は、端末Ｔ側から本装置１へ要求して受信するポーリング型（プル型）でもよいし、本装置１側から端末Ｔへ新たな広告データを積極的に送信するプッシュ型でもよい。なお、図１１は、本実施形態において、端末Ｔの表示画面Ｇに複数のアイコンＸ１〜Ｘ４が表示されている状態を示す。
【００５０】
本実施形態におけるアイコン（例えば、破線で示すＸ４）は、広告が表示されるもしくは表示されている一部分である広告部分Ｒ１と、広告部分Ｒ１を除くアイコンの部分である起動部分Ｒ２と、広告を消去しアイコン全体を起動部分にする消去ボタンＲ３と、を備える。図１１の例において、例えばアイコンＸ１は、三次元表示アプリＡ１（図１）に対応するもので、アイコンＸ１のうち広告部分Ｒ１には新型車の広告が表示されている。
【００５１】
広告実行手段３００は、アイコンのうち広告部分Ｒ１が操作されたときに（ステップＳ５３：「広告部分」）、その操作された広告に対応して予め定められた情報処理の動作（「広告動作」と呼ぶこととする）を実行する（ステップＳ５５〜Ｓ６３）。また、起動手段４００は、起動部分Ｒ２が操作されたときに（ステップＳ５３：「起動部分」）、アイコンに対応するプログラムを起動する（ステップＳ５４）。
【００５２】
アイコンの操作は、例えば指Ｆによるタップ操作などであるが（図１１）、端末Ｔの種類や構成によってはマウスによるクリックなど、他の操作でもよい。あるアイコンに表示する広告を別の広告に更新したい場合、基本ソフトウェアの仕様上、アプリを更新しないと広告が更新できない場合は、アプリを更新することで広告を更新してもよい。
【００５３】
〔３−１．ウェブページへの遷移〕
起動部分の操作に応じて実行される広告動作にはさまざまなバリエーションが考えられる。広告ごとに、広告動作の内容、広告動作に関連するプログラム（「対象プログラム」と呼ぶこととする）やパラメータは、図５に例示するような広告ごとの広告データとして定義され、広告データは広告表示手段２００が本装置１から受信して広告記憶手段４５０に記憶させる。
【００５４】
広告データに基づく広告動作の一例は、ウェブブラウザＢを起動することにより、操作された広告に対応付けられているアドレスのウェブページを表示させることである（ステップＳ５５、Ｓ５６）。表示させるウェブページは、例えば、広告の対象となっている商品、サービス、事業者等のウェブページである。
【００５５】
例えば、図４の広告データの例において、広告ＩＤ「Ａ１２５」の広告については、画像「○○.gif」を広告部分Ｒ１に表示するが、表示先のアイコンの種類については無指定（図４中「ａｎｙ」）である。このように表示先のアイコンの種類が無指定の広告は、入札単価など指標値の高い順に、多数の端末Ｔに表示される多数のアイコンの中から、優先順位など価値の高い順に、表示先のアイコンが割り当てられ、その際にアイコンが対応しているアプリのカテゴリは問わない。
【００５６】
また、広告部分Ｒ１が操作されると広告動作として、対象プログラム「端末標準ブラウザ」による広告動作「ウェブページ遷移」が、ＵＲＬ「http://○○shop・・」をパラメータとして実行される。
【００５７】
〔３−２．プログラムのインストール〕
広告動作の他の例は、操作された広告に対応付けられているプログラムをインストールすることである（ステップＳ５７〜Ｓ５９）。
【００５８】
図５の広告ＩＤ「Ｌ５５３」の広告の場合、画像「□□.swf」を広告部分Ｒ１に表示し、広告部分Ｒ１が操作されると広告動作として（ステップＳ５７：「ＹＥＳ」）、対象プログラム「××ゲーム.apk」について、端末Ｔに未インストールの場合は（ステップＳ５８：「ＮＯ」）、例えば提供元サーバＤからダウンロードしてインストールされる（ステップＳ５９）。
【００５９】
また、パラメータとして、その対象プログラムが既存、すなわち端末Ｔに既にインストール済であれば（ステップＳ５８：「ＹＥＳ」）、その対象プログラムが起動する（ステップＳ６０、Ｓ６１）ことが指定されている。プログラムのデモ版をインストールし、料金支払いなどの条件を満たせばフル機能版にバージョンアップ可能としてもよい。
【００６０】
また、広告を表示しようとする時点で、広告表示手段２００が、その広告の広告動作でインストールの対象となっている対象プログラムが端末Ｔに既にインストール済かを、対象プログラムの起動を試み又は対象プログラムに特有のディレクトリへのアクセスを試みるなどして検出し、インストール済の場合は他の所定の広告を本装置１からダウンロードするなどして表示するようにしてもよく、そのようにすれば広告の無駄を削減できる。
【００６１】
〔３−３．プログラムの起動〕
上記では、インストールしようとしたプログラムがインストール済の場合に、インストールに代えてそのプログラムを起動する例を示したが、広告動作として、インストールとは関係なく端末Ｔ内のプログラムを起動してもよい。すなわち、広告動作の他の例は、その端末Ｔに既にインストールされているプログラムであって、操作された広告に対応付けられているプログラムを起動することである（ステップＳ６０、Ｓ６１）。
【００６２】
例えば、ネットワークゲームのクライアントプログラムをインストールしているが、所定期間利用していないユーザを、端末の識別情報とネットワークゲームのサーバ側ログとの照合などで識別する。そして、そのようなユーザにそのプログラムを再び利用してもらうプロモーションとして、そのプログラムのアイコンの広告部分Ｒ１において広告の画像で新機能やボーナス特典などを案内し、広告部分Ｒ１が操作されれば、そのプログラムを起動するなどである。
【００６３】
この種の広告では、入札の際、表示先とするアイコンの条件を、図４の広告ＩＤ「Ｌ５５３」に示すように「種別：ゲーム」のようにアイコンに対応するプログラムの種別すなわちカテゴリやジャンルで指定することが考えられる。広告部分Ｒ１の操作に応じて起動するプログラムは、起動部分Ｒ２の操作に応じて起動するプログラムすなわちアイコンに対応するプログラムとは異なるプログラムを想定するが、同じプログラムでもよい。
【００６４】
〔３−４．パラメータ付起動〕
また、広告動作の他の例は、プログラムを単に起動するだけでなく、広告に応じて設定されている内容の情報処理をさせることであり、この広告動作を図１０では「パラメータ付起動」と表す（ステップＳ６２：「ＹＥＳ」）。
【００６５】
この場合、広告実行手段３００は広告動作として、広告部分が操作されたアイコンに対応するプログラムを起動し、広告に対応付けられているパラメータをそのプログラムに伝達することにより（ステップＳ６３）、広告に対応付けられているパラメータに基づくプログラムによる情報処理の動作を実行する。
【００６６】
例えば、三次元表示アプリＡ１（図１）に対応するアイコンＸ１（図１１）の広告部分Ｒ１には新型車の広告を表示し、操作に応じたパラメータとして、その新型車の三次元形状を表すファイルのＵＲＬを用いて、そのアイコンＸ１に対応する三次元表示アプリＡ１に、広告対象となっている新型車の三次元画像を画面表示させるなどである。
【００６７】
〔３−５．情報検索の例〕
上記のように起動するプログラムやパラメータは、ショッピングや地図など情報検索用のものであってもよい。この場合、広告実行手段３００は広告動作として、広告部分が操作されたアイコンに対応する情報検索用のプログラムを起動し、広告に対応付けられている検索条件をパラメータとしてそのプログラムに伝達することにより、広告に対応付けられている対象に関する情報検索結果を出力させる。
【００６８】
検索条件としては、例えば、ショッピング用のプログラム（例えば、図１に示すショッピングアプリＡ３など）の場合、ショップ名、商品のメーカー名やブランド名、シリーズ名や型番、男性用や女性用、対象の年代やサイズなどが考えられる。また、地図プログラムの場合、広告の対象とする娯楽施設や店舗などの名称、住所などが考えられる。
【００６９】
〔３−６．縮小画像の利用例〕
特に、ここでいう情報検索用のプログラムが場所を検索して表示する地図プログラム（例えば、図１に示す地図アプリＡ２であり愛称「Ｙ！マップ」と仮定する」）である場合、広告実行手段３００は、その地図プログラムを起動し広告に対応付けられている位置情報を含む地図表示物のデータをその地図プログラムに渡して得られる地図表示内容を縮小した画像を、アイコンの一部分に広告として表示させてもよい。
【００７０】
例えば、図５に例示する広告ＩＤ「Ｒ７８１」の広告は、図１１に示すアイコンＸ２の広告部分Ｒ１に表示されるが、この広告に含まれる地図は、予め広告の画像に含まれるものではなく、次のように得て表示する。まず、広告を表示する際に広告実行手段３００が、アイコンＸ２に対応する地図アプリＡ２（Ｙ！マップ）をバックグラウンドで動作するよう起動させる。
【００７１】
そして、広告実行手段３００は、広告に対応付けられている位置情報を含む地図表示物のデータをその地図プログラムに渡して地図表示内容を生成させ、その地図表示内容を縮小した画像を得て、「○○開催中」などの文字を含む画像と組み合わせてアイコンＸ２の広告部分Ｒ１に表示する。
【００７２】
なお、上記の「位置情報を含む地図表示物のデータ」とは、位置情報の他に、その位置に組み込むべき企業ロゴやアピール内容としたい画像や文字列を含んでもよい趣旨であるが、含まなくてもよい。また、位置情報について、緯度経度や住所等の位置座標なら、そのまま地図表示に利用でき、「△△ショップ××店」といった店舗などの施設名なら、その文字列によるウェブ検索や地図検索を行ってその結果に含まれる経度緯度や住所などを地図表示に利用できる。
【００７３】
また、チェーン店舗の本社、フランチャイザーや本部などが広告主で、広告の対象としたいチェーン店舗など施設の候補が複数存在する場合、ＧＰＳなどで端末Ｔの現在位置を測位し、測位した現在位置から最寄りの施設を前記候補から特定する。
【００７４】
そして、その施設を対象として地図検索または乗換案内等の経路探索を所定のプログラムに行わせ、もしくは検索させた結果の一部や縮小画像を、アイコンの一部分において広告として又は広告に組み込んで表示してもよい。そうすればユーザに最寄りの施設を効果的にアピールできる。
【００７５】
〔４．効果〕
（１）  以上のように、本実施形態では、端末Ｔの画面に配置されたプログラム起動用等のアイコンに通信ネットワーク経由で広告を配信し表示しようとする場合、端末Ｔに設置されたカメラで検出する視線量が高いアイコンほど（ステップＳ１４）、入札された広告単価に基く指標（図６のステップＳ１７）の高い広告を引き当てて（ステップＳ１８）配信する（ステップＳ１９）。これにより、ユーザによく見られるアイコンほど高単価の広告を配信することができる。
【００７６】
（２）  また、本実施形態では、アイコンの価値を、同じ端末Ｔのアイコン間における視線量の相対的な多さに基いて計算する（ステップＳ１４）。これにより、個々の端末Ｔのアイコン群への視線量の総量の多寡を問わず、高く入札すればそれぞれのユーザがよく見るアイコンに広告が表示できる。このため、対象とするユーザ数すなわちリーチ数を優先した広告配信が可能となる。
【００７７】
（３）  また、本実施形態では、アイコンの価値を、他の端末Ｔのアイコンの視線量も含めた絶対的な視線量の多さに基いて計算する（ステップＳ１４）。これにより、高く入札すればアイコンをよく見るユーザを対象に広告を表示できるので、ヘビーユーザを優先した広告配信が可能となる。
【００７８】
（４）  また、本実施形態では、視線量に加え、アイコンの種類を指定して競争入札の受付（ステップＳ１６）と広告引当て（ステップＳ１８）を行う。これにより、特定のアプリのユーザに広告を訴求可能となる。
【００７９】
〔５．広告表示に関する効果〕
また、本実施形態では、情報処理装置である端末Ｔに画面表示されるプログラム起動用のアイコンの一部分に広告を表示し（例えば図１１）その部分を操作すれば広告に応じた内容の動作を実行するが、残る部分を操作すれば本来のプログラムを起動することにより、プログラム起動用アイコンを、その本来の機能を妨げることなく広告に活用することができる。
【００８０】
特に、本実施形態では、アイコンのうち広告の部分を操作するとその広告に対応したウェブページをブラウザで表示することにより（例えば図１０のステップＳ５５、Ｓ５６）、アイコンのうち広告の部分で絵柄や文字などで表現した内容に対応する詳細な情報をユーザに提供することができる。
【００８１】
また、本実施形態では、アイコンのうち広告の部分を操作するとその広告に対応するプログラムを起動することにより（ステップＳ６０、Ｓ６１）、情報処理装置にインストール済みで使うのを忘れているプログラムを思い出して使ってもらうなど、広告の趣旨に応じたプログラムの使用促進を図ることができる。
【００８２】
さらに、本実施形態では、アイコンのうち広告の部分を操作するとその広告に対応するプログラムをインストールすることにより（ステップＳ５７〜Ｓ５９）、改めてプログラムを探したりダウンロードやインストールする操作を減らして、ユーザに推薦したいプログラムを容易に試してもらうことができる。
【００８３】
加えて、本実施形態では、アイコンのうち広告の部分を操作すると、アイコンに対応したプログラムを起動し、広告に対応したパラメータをそのプログラムに渡すことにより（ステップＳ６２、Ｓ６３）、広告の趣旨に合った検索結果の表示など、アイコンのプログラムの機能を活用したユーザへの情報提供が可能となる。
【００８４】
ことに、本実施形態では、アイコンのうち広告の部分を操作すると、アイコンに対応した情報検索用のプログラムを起動し、広告に対応した検索条件をパラメータとしてそのプログラムに渡すことにより、広告の趣旨に合った商品、サービス、地図といった検索結果の表示など、アイコンに対応する情報検索用プログラムの機能を活用したユーザへの情報提供が可能となる。
【００８５】
とりわけ、本実施形態では、地図プログラムのアイコンの一部分に表示される広告が、地図プログラムで広告に対応する店舗などを検索した結果画面の縮小となっている（例えば図１１のアイコンＸ２における広告部分Ｒ１）。そして、その部分を操作すると、アイコンに対応した地図プログラムを起動し、広告に対応する位置情報と店舗のマークなど地図表示物のデータをその地図プログラムに渡す。
【００８６】
これにより、その地図プログラムの機能を活用して、広告の対象となる店舗などの詳細な地図が表示されるので、広告の趣旨に合った位置情報を含む詳細な情報をユーザへ提供することが可能となる。
【００８７】
〔６．他の実施形態〕
なお、上記実施形態や図の内容は例示に過ぎず、各要素の有無や配置、処理の順序や内容などは適宜変更可能である。このため、本発明は、以下に例示する変形例やそれ以外の他の実施態様も含むものである。
【００８８】
例えば、本発明は携帯端末（例えば図２）に限らず、ノートパソコン、デスクトップパソコンなど他の種類の情報機器にも適用できる。また、本発明におけるアイコンの表示を実現する態様として、所謂カスタムデスクトップや、タブレットＰＣなどにおける所謂タイル表示などの技術を用いてもよい。
【００８９】
また、端末Ｔにおいて、アイコン表示自体は基本ソフトウェアなどが行い、本発明に特有の広告表示手段２００や起動手段４００などの機能を、追加機能モジュールとしてもよい。また、アイコンの種類を指定して競争入札の受付と広告引当てを行うことは必須ではない。
【００９０】
さらに、アイコン毎の価値については、同一の端末の画面に配置されたアイコン間における視線量の相対的な多さに基いて計算することも、他の端末の画面に配置されたアイコンの視線量も含めた絶対的な視線量の多さに基いて計算することも、いずれにも限定されるものではない。例えば、視線の量の相対的な多さと、絶対的な多さとを、所定のバランスで合算する総合評価とすれば、二種の基準を多面的に適用した効果的広告引当てが実現できる。
【００９１】
また、広告部分Ｒ１を操作したとき、その広告に予め設定された複数の広告動作の選択肢（例えば、所定のウェブページの表示、アプリのダウンロードなど）をリストなどで表示して選択された広告動作を実行すれば、ユーザの意思が反映され広告効果が改善できる。
【００９２】
また、本発明の各態様は、明記しない他のカテゴリ（方法、プログラム、端末を含むシステムなど）としても把握できる。方法やプログラムのカテゴリでは、装置のカテゴリで示した「手段」を「処理」や「ステップ」のように適宜読み替えるものとする。また、「手段」の全部又は任意の一部を「部」（ユニット、セクション、モジュール等）と読み替えることができる。
【００９３】
また、実施形態に示した処理やステップについても、順序を変更したり、いくつかをまとめて実行しもしくは一部分ずつ分けて実行するなど変更可能である。また、個々の手段、処理やステップを実現、実行する端末などのコンピュータは共通でもよいし、手段、処理やステップごとにもしくはタイミングごとに異なってもよい。
【００９４】
また、本出願で示す個々の手段は、外部のサーバが提供している機能をＡＰＩ（アプリケーションプログラムインタフェース）やネットワーク・コンピューティング（いわゆるクラウドなど）で呼び出して実現してもよい。さらに、本発明に関する手段などの各要素は、コンピュータの演算制御部に限らず物理的な電子回路など他の情報処理機構で実現してもよい。
【符号の説明】
【００９５】
１  情報処理装置（本装置）
Ｔ  端末
３  充電池制御部
４  通話制御部
５  ＧＰＳ部
６、６６  演算制御部
７、７７  記憶装置
８、８８  通信手段
９  基本ソフトウェア
１９  視線検出手段
２０  視線量受信手段
２５  視線量記憶手段
３０  価値計算手段
３５  価値記憶手段
４０  入札受付手段
４５  広告記憶手段
５０  指標決定手段
６０  引当手段
６６  演算制御部
７０  広告送信手段
２００  広告表示手段
３００  広告実行手段
４００  起動手段
４５０  広告記憶手段
Ａ（Ａ１〜Ａ３）  アプリ
Ｂ  ウェブブラウザ
Ｘ１〜Ｃ４  アイコン
Ｃ２  前面側カメラ
Ｄ  提供元サーバ
Ｆ  指
Ｇ  表示画面
Ｎ  通信ネットワーク
Ｒ１  広告部分
Ｒ２  起動部分
Ｒ３  消去ボタン
【図１】
0005595531.tif 000002
【図２】
0005595531.tif 000003
【図３】
0005595531.tif 000004
【図４】
0005595531.tif 000005
【図５】
0005595531.tif 000006
【図６】
0005595531.tif 000007
【図７】
0005595531.tif 000008
【図８】
0005595531.tif 000009
【図９】
0005595531.tif 000010
【図１０】
0005595531.tif 000011
【図１１】
0005595531.tif 000012